(57)【要約】本開示は、指紋ロック解除方法、装置、プログラム及び記録媒体に関するものであり、誤ったタッチによりシステムがウェイクされて消費電力が発生することを避けることができる。上記の方法は、電子デバイスに応用され、前記電子デバイスにはタッチスクリーンと指紋センサが備えられ、前記電子デバイスは物体が前記タッチスクリーンに印加する圧力値及び前記物体と前記タッチスクリーンとの接触位置を検出可能であり、前記指紋センサは、前記タッチスクリーンに備えられ、前記タッチスクリーンの対応位置に指紋応答領域を形成し、前記方法は、前記圧力値がプリセット閾値より大きく、前記接触位置が前記指紋応答領域に位置することが検出されたとき、前記電子デバイスの指紋認識機能をウェイクするステップと、前記指紋センサにより前記物体のパターン情報を収集するステップと、前記パターン情報に基づいて事前に保存された参考指紋情報とマッチングし、マッチング成功した場合には、前記電子デバイスに対してロック解除操作を実行するステップと、を含む。本公開の技術案は、誤ったタッチによりシステムがウェイクされて消費電力が発生することをピヒルことができる。【選択図】図２
2020512604.tif 000002
【特許請求の範囲】
【請求項１】
電子デバイスに応用される指紋ロック解除方法であって、前記電子デバイスにはタッチスクリーンと指紋センサが備えられ、前記電子デバイスは物体が前記タッチスクリーンに印加する圧力値及び前記物体と前記タッチスクリーンとの接触位置を検出可能であり、前記指紋センサは、前記タッチスクリーンに備えられ、前記タッチスクリーンの対応位置に指紋応答領域を形成し、
前記方法は、
前記圧力値がプリセット閾値より大きく、前記接触位置が前記指紋応答領域に位置することが検出されたとき、前記電子デバイスの指紋認識機能をウェイクするステップと、
前記指紋センサにより前記物体のパターン情報を収集するステップと、
前記パターン情報に基づいて事前に保存された参考指紋情報とマッチングし、マッチング成功した場合には、前記電子デバイスに対してロック解除操作を実行するステップと、を含むことを特徴とする指紋ロック解除方法。
【請求項２】
前記タッチスクリーンはタッチセンサを含み、前記電子デバイスは圧力センサをさらに含み、
前記圧力値がプリセット閾値より大きく、前記接触位置が前記指紋応答領域に位置することが検出されたとき、前記電子デバイスの指紋認識機能をウェイクするステップは、
前記圧力センサは、前記物体が前記タッチスクリーンに印加する少なくとも一つの圧力値を検出するステップと、
前記少なくとも一つの圧力値のうち最大圧力値が前記プリセット閾値より大きいことが前記圧力センサにより検出されたとき、第１の割り込み信号を前記タッチセンサに送信するステップと、
前記タッチセンサは、前記第１の割り込み信号を受信した後、前記物体と前記タッチスクリーンとの接触位置を検出するステップと、
前記接触位置が前記指紋応答領域に位置することが前記タッチセンサにより検出されたとき、前記電子デバイスの指紋認識機能をウェイクするステップと、を含むことを特徴とする請求項１に記載の指紋ロック解除方法。
【請求項３】
前記圧力センサは、前記物体が前記タッチスクリーンに印加する少なくとも一つの圧力値を検出するステップの前に、
前記タッチスクリーンが画面オフ状態であるか又は前記電子デバイスがスリープ状態であることが検出されたとき、前記圧力センサを作動させるステップをさらに含むことを特徴とする請求項２に記載の指紋ロック解除方法。
【請求項４】
前記タッチスクリーンはタッチセンサを含み、前記電子デバイスは圧力センサをさらに含み、
前記圧力値がプリセット閾値より大きく、前記接触位置が前記指紋応答領域に位置することが検出されたとき、前記電子デバイスの指紋認識機能をウェイクするステップは、
前記タッチセンサが前記物体と前記タッチスクリーンとの接触位置を検出するステップと、
前記接触位置が前記指紋応答領域に位置することが前記タッチセンサにより検出された場合には、前記圧力センサは、第２の割り込み信号を送信するステップと、
前記圧力センサは、前記第２の割り込み信号を受信した後、前記物体が前記タッチスクリーンに印加する少なくとも一つの圧力値を検出するステップと、
前記少なくとも一つの圧力値のうち最大圧力値が前記プリセット閾値より大きいことが前記圧力センサによって検出された場合には、前記電子デバイスの指紋認識機能をウェイクするステップと、を含むことを特徴とする請求項１に記載の指紋ロック解除方法。
【請求項５】
前記タッチセンサが前記物体と前記タッチスクリーンとの接触位置を検出するステップの前に、
前記タッチスクリーンが画面オフ状態であるか又は前記電子デバイスがスリープ状態であることが検出されたとき、前記タッチセンサを作動させるステップをさらに含むことを特徴とする請求項４に記載の指紋ロック解除方法。
【請求項６】
前記電子デバイスは複合センサをさらに含み、前記複合センサは前記圧力値及び前記接触位置を同時に検出可能であり、
前記圧力値がプリセット閾値より大きく、前記接触位置が前記指紋応答領域に位置することが検出されたとき、前記電子デバイスの指紋認識機能をウェイクするステップは、
前記複合センサは、前記物体が前記タッチスクリーンに印加する少なくとも一つの圧力値及び前記物体と前記タッチスクリーンとの接触位置を検出するステップと、
前記少なくとも一つの圧力値のうち最大圧力値が前記プリセット閾値より大きく、前記接触位置が前記指紋応答領域に位置することが前記複合センサにより検出されたとき、前記電子デバイスの指紋認識機能をウェイクするステップと、を含むことを特徴とする請求項１に記載の指紋ロック解除方法。
【請求項７】
電子デバイスに応用される指紋ロック解除装置において、前記電子デバイスにはタッチスクリーンと指紋センサが備えられ、前記電子デバイスは、物体が前記タッチスクリーンに印加する圧力値及び前記物体と前記タッチスクリーンとの接触位置を検出可能であり、前記指紋センサは、前記タッチスクリーンに備えられ、前記タッチスクリーンの対応位置に指紋応答領域を形成し、
前記装置は、
前記圧力値がプリセット閾値より大きく、前記接触位置が前記指紋応答領域に位置することが検出されたとき、前記電子デバイスの指紋認識機能をウェイクするように配置されるウェイクモジュールと、
前記指紋センサにより前記物体のパターン情報を収集するように配置される収集モジュールと、
前記パターン情報に基づいて事前に保存された参考指紋情報とマッチングし、マッチング成功した場合には、前記電子デバイスに対してロック解除操作を実行するように配置されるマッチングモジュールと、を含むことを特徴とする指紋ロック解除装置。
【請求項８】
前記タッチスクリーンはタッチセンサを含み、前記電子デバイスは圧力センサをさらに含み、
前記ウェイクモジュールは、
前記圧力センサにより前記物体が前記タッチスクリーンに印加する少なくとも一つの圧力値を検出するように配置される第１の検出サブモジュールと、
前記少なくとも一つの圧力値のうち最大圧力値が前記プリセット閾値より大きいことが前記圧力センサにより検出されたとき、第１の割り込み信号を前記タッチセンサに送信するように配置される第１の送信サブモジュールと、
前記タッチセンサは、前記第１の割り込み信号を受信した後、前記物体と前記タッチスクリーンとの接触位置を検出するように配置される第２の検出サブモジュールと、
前記接触位置が前記指紋応答領域に位置することが前記タッチセンサにより検出されたとき、前記電子デバイスの指紋認識機能をウェイクするように配置される第１のウェイクサブモジュールと、を含むことを特徴とする請求項７に記載の指紋ロック解除装置。
【請求項９】
前記ウェイクモジュールは、
前記タッチスクリーンが画面オフ状態であるか又は前記電子デバイスがスリープ状態であることが検出されたとき、前記圧力センサを作動させるように配置される第１の作動サブモジュールをさらに含むことを特徴とする請求項８に記載の指紋ロック解除装置。
【請求項１０】
前記タッチスクリーンはタッチセンサを含み、前記電子デバイスは圧力センサをさらに含み、
前記ウェイクモジュールは、
前記タッチセンサによって前記物体と前記タッチスクリーンとの接触位置を検出するように配置される第３の検出サブモジュールと、
前記接触位置が前記指紋応答領域に位置することが前記タッチセンサにより検出されたとき、前記圧力センサに第２の割り込み信号を送信するように配置される第２の送信サブモジュールと、
前記圧力センサは、前記第２の停止信号を受信した後、前記物体が前記タッチスクリーンに印加する少なくとも一つの圧力値を検出するように配置される第４の検出サブモジュールと、
前記少なくとも一つの圧力値のうち最大圧力値が前記プリセット閾値より大きいことが前記圧力センサにより検出されたとき、前記電子デバイスの指紋認識機能をウェイクするように配置される第２のウェイクサブモジュールと、を含むことを特徴とする請求項７に記載の指紋ロック解除装置。
【請求項１１】
前記ウェイクモジュールは、
前記タッチスクリーンが画面オフ状態であるか又は前記電子デバイスがスリープ状態であることが検出されたとき、前記タッチセンサを作動させるように配置される第２の作動サブモジュールをさらに含むことを特徴とする請求項１０に記載の指紋ロック解除装置。
【請求項１２】
前記電子デバイスは複合センサをさらに含み、前記複合センサは、前記圧力値及び前記接触位置を同時に検出可能であり、
前記ウェイクモジュールは、
前記複合センサにより、前記物体が前記タッチスクリーンに印加する少なくとも一つの圧力値及び前記物体と前記タッチスクリーンとの接触位置を検出するように配置される第５の検出サブモジュールと、
前記少なくとも一つの圧力値のうち最大圧力値が前記プリセット閾値よりも大きく、前記接触位置が前記指紋応答領域に位置することが前記複合センサにより検出されたとき、前記電子デバイスの指紋認識機能をウェイクするように配置される第３のウェイクサブモジュールと、を含むことを特徴とする請求項７に記載の指紋ロック解除装置。
【請求項１３】
指紋ロック解除装置において、
プロセッサと、
前記プロセッサが実行可能な命令を記憶するメモリと、を含み、
前記プロセッサは、請求項１から６のいずれかに記載の指紋ロック解除方法を実行するように配置されることを特徴とする指紋ロック解除装置。
【請求項１４】
コンピュータ読み取り可能な記録媒体において、
前記記録媒体にコンピュータプログラムが保存され、前記コンピュータプログラムは、前記プロセッサによって実行されるとき、請求項１から６のいずれかに記載の指紋ロック解除方法が実現されることを特徴とするコンピュータ読み取り可能な記録媒体。
【発明の詳細な説明】
【技術分野】
【０００１】
本出願は、出願番号が２０１８１０１５０５３１．７であり、出願日が２０１８年２月１３日の中国特許出願を基礎として優先権を主張し、その中国の特許出願の内容全体は、本願発明に援用される。
【０００２】
本出願は、指紋認識技術分野に関するもので、特に指紋ロック解除方法及び装置に関するものである。
【背景技術】
【０００３】
端末の技術が絶えずに発展することに伴い、端末の安定性も絶えず向上している。例えば、ユーザーの個人情報をよりよく保護するために、端末はパスワード保護機能を提供し、ユーザーが入力したパスワードとロック解除パスワードの間にマッチングされたことが検出される場合、端末に対してロック解除を行う。
【０００４】
関連技術において、端末から提供されているパスワード保護機能は、生物の特徴に基づいたパスワード、例えば、指紋パスワード、顔パスワードなどを支持する。端末に提供されたパスワード保護機能が指紋パスワードを支持することを一例として、端末は、指紋センサが指紋情報をスキャンして、スキャンして得られたユーザの指紋情報と、事前に保存された指紋情報とをマッチングさせて、もしマッチングが成功したら、端末に対してロック解除を行い、もしマッチングが失敗したら、パスワードの入力が間違ったと提示する。タッチスクリーンを使用して指紋の検出方法において、誤ったタッチによる消費電力が発生することをどのように減少させるかは解決すべき技術的な問題である。
【発明の概要】
【発明が解決しようとする課題】
【０００５】
関連技術に存在する問題を解決するために、本開示の実施例では誤ったタッチによりシステムをウェイクさせて消費電力が発生することを避けることができる指紋ロック解除方法と装置を提供する。
【課題を解決するための手段】
【０００６】
本公開の第一形態によると、指紋ロック解除方法を提供し、上記方法は電子デバイスに応用され、前記電子デバイスにはタッチスクリーンと指紋センサが備えられ、
前記電子デバイスは物体が前記タッチスクリーンに印加する圧力値及び前記物体と前記タッチスクリーンとの接触位置を検出可能であり、前記指紋センサは、前記タッチスクリーンに備えられ、前記タッチスクリーンの対応位置に指紋応答領域を形成し、
前記方法は、
前記圧力値がプリセット閾値より大きく、前記接触位置が前記指紋応答領域に位置することが検出されたとき、前記電子デバイスの指紋認識機能をウェイクするステップと、
前記指紋センサにより前記物体のパターン情報を収集するステップと、
前記パターン情報に基づいて事前に保存された参考指紋情報とマッチングし、マッチング成功した場合には、前記電子デバイスに対してロック解除操作を実行するステップと、を含む。
【０００７】
一実施形態において、前記タッチスクリーンはタッチセンサを含み、前記電子デバイスは圧力センサをさらに含み、
前記圧力値がプリセット閾値より大きく、前記接触位置が前記指紋応答領域に位置することが検出されたとき、前記電子デバイスの指紋認識機能をウェイクするステップは、
前記圧力センサは、前記物体が前記タッチスクリーンに印加する少なくとも一つの圧力値を検出するステップと、
前記少なくとも一つの圧力値のうち最大圧力値が前記プリセット閾値より大きいことが前記圧力センサにより検出されたとき、第１の割り込み信号を前記タッチセンサに送信するステップと、
前記タッチセンサは、前記第１の割り込み信号を受信した後、前記物体と前記タッチスクリーンとの接触位置を検出するステップと、
前記接触位置が前記指紋応答領域に位置することが前記タッチセンサにより検出されたとき、前記電子デバイスの指紋認識機能をウェイクするステップと、を含む。
一実施形態において、前記圧力センサは、前記物体が前記タッチスクリーンに印加する少なくとも一つの圧力値を検出するステップの前に、
前記タッチスクリーンが画面オフ状態であるか又は前記電子デバイスがスリープ状態であることが検出されたとき、前記圧力センサを作動させるステップをさらに含む。
【０００８】
一実施形態において、前記タッチスクリーンはタッチセンサを含み、前記電子デバイスは圧力センサをさらに含み、
前記圧力値がプリセット閾値より大きく、前記接触位置が前記指紋応答領域に位置することが検出されたとき、前記電子デバイスの指紋認識機能をウェイクするステップは、
前記タッチセンサが前記物体と前記タッチスクリーンとの接触位置を検出するステップと、
前記接触位置が前記指紋応答領域に位置することが前記タッチセンサにより検出された場合には、前記圧力センサは、第２の割り込み信号を送信するステップと、
前記圧力センサは、前記第２の割り込み信号を受信した後、前記物体が前記タッチスクリーンに印加する少なくとも一つの圧力値を検出するステップと、
前記少なくとも一つの圧力値のうち最大圧力値が前記プリセット閾値より大きいことが前記圧力センサによって検出された場合には、前記電子デバイスの指紋認識機能をウェイクするステップと、を含む。
【０００９】
一実施形態において、前記タッチセンサが前記物体と前記タッチスクリーンとの接触位置を検出するステップの前に、
前記タッチスクリーンが画面オフ状態であるか又は前記電子デバイスがスリープ状態であることが検出されたとき、前記タッチセンサを作動させるステップをさらに含む。
【００１０】
一実施形態において、前記電子デバイスは複合センサをさらに含み、前記複合センサは前記圧力値及び前記接触位置を同時に検出可能であり、
前記圧力値がプリセット閾値より大きく、前記接触位置が前記指紋応答領域に位置することが検出されたとき、前記電子デバイスの指紋認識機能をウェイクするステップは、
前記複合センサは、前記物体が前記タッチスクリーンに印加する少なくとも一つの圧力値及び前記物体と前記タッチスクリーンとの接触位置を検出するステップと、
前記少なくとも一つの圧力値のうち最大圧力値が前記プリセット閾値より大きく、前記接触位置が前記指紋応答領域に位置することが前記複合センサにより検出されたとき、前記電子デバイスの指紋認識機能をウェイクするステップと、を含む。
【００１１】
本公開の第二形態によると、指紋ロック解除装置を提供し、上記装置は電子デバイスに応用され、前記電子デバイスにはタッチスクリーンと指紋センサが備えられ、前記電子デバイスは、物体が前記タッチスクリーンに印加する圧力値及び前記物体と前記タッチスクリーンとの接触位置を検出可能であり、前記指紋センサは、前記タッチスクリーンに備えられ、前記タッチスクリーンの対応位置に指紋応答領域を形成し、
前記装置は、
前記圧力値がプリセット閾値より大きく、前記接触位置が前記指紋応答領域に位置することが検出されたとき、前記電子デバイスの指紋認識機能をウェイクするように配置されるウェイクモジュールと、
前記指紋センサにより前記物体のパターン情報を収集するように配置される収集モジュールと、
前記パターン情報に基づいて事前に保存された参考指紋情報とマッチングし、マッチング成功した場合には、前記電子デバイスに対してロック解除操作を実行するように配置されるマッチングモジュールと、を含むことを特徴とする指紋ロック解除装置。
【００１２】
一実施形態において、前記タッチスクリーンはタッチセンサを含み、前記電子デバイスは圧力センサをさらに含み、
前記ウェイクモジュールは、
前記圧力センサにより前記物体が前記タッチスクリーンに印加する少なくとも一つの圧力値を検出するように配置される第１の検出サブモジュールと、
前記少なくとも一つの圧力値のうち最大圧力値が前記プリセット閾値より大きいことが前記圧力センサにより検出されたとき、第１の割り込み信号を前記タッチセンサに送信するように配置される第１の送信サブモジュールと、
前記タッチセンサは、前記第１の割り込み信号を受信した後、前記物体と前記タッチスクリーンとの接触位置を検出するように配置される第２の検出サブモジュールと、
前記接触位置が前記指紋応答領域に位置することが前記タッチセンサにより検出されたとき、前記電子デバイスの指紋認識機能をウェイクするように配置される第１のウェイクサブモジュールと、を含む。
【００１３】
一実施形態において、前記ウェイクモジュールは、
前記タッチスクリーンが画面オフ状態であるか又は前記電子デバイスがスリープ状態であることが検出されたとき、前記圧力センサを作動させるように配置される第１の作動サブモジュールをさらに含む。
【００１４】
一実施形態において、前記タッチスクリーンはタッチセンサを含み、前記電子デバイスは圧力センサをさらに含み、
前記ウェイクモジュールは、
前記タッチセンサによって前記物体と前記タッチスクリーンとの接触位置を検出するように配置される第３の検出サブモジュールと、
前記接触位置が前記指紋応答領域に位置することが前記タッチセンサにより検出されたとき、前記圧力センサに第２の割り込み信号を送信するように配置される第２の送信サブモジュールと、
前記圧力センサは、前記第２の停止信号を受信した後、前記物体が前記タッチスクリーンに印加する少なくとも一つの圧力値を検出するように配置される第４の検出サブモジュールと、
前記少なくとも一つの圧力値のうち最大圧力値が前記プリセット閾値より大きいことが前記圧力センサにより検出されたとき、前記電子デバイスの指紋認識機能をウェイクするように配置される第２のウェイクサブモジュールと、を含む。
【００１５】
一実施形態において、前記ウェイクモジュールは、
前記タッチスクリーンが画面オフ状態であるか又は前記電子デバイスがスリープ状態であることが検出されたとき、前記タッチセンサを作動させるように配置される第２の作動サブモジュールをさらに含む。
【００１６】
一実施形態において、前記電子デバイスは複合センサをさらに含み、前記複合センサは、前記圧力値及び前記接触位置を同時に検出可能であり、
前記ウェイクモジュールは、
前記複合センサにより、前記物体が前記タッチスクリーンに印加する少なくとも一つの圧力値及び前記物体と前記タッチスクリーンとの接触位置を検出するように配置される第５の検出サブモジュールと、
前記少なくとも一つの圧力値のうち最大圧力値が前記プリセット閾値よりも大きく、前記接触位置が前記指紋応答領域に位置することが前記複合センサにより検出されたとき、前記電子デバイスの指紋認識機能をウェイクするように配置される第３のウェイクサブモジュールと、を含む。
【００１７】
本公開の第三形態によると、指紋ロック解除装置を提供し、
プロセッサと、
前記プロセッサが実行可能な命令を記憶するメモリと、を含み、
前記プロセッサは、上記の第一形態の方法を実行するように配置される。
【００１８】
本公開の第四形態によると、コンピュータ読み取り可能な記録媒体を提供し、
前記記録媒体にコンピュータプログラムが保存され、前記コンピュータプログラムは、前記プロセッサによって実行されるとき、第一形態の方法が実現される。
【発明の効果】
【００１９】
本公開の実施例で提供される技術案は、次の有益な効果を得ることができる。指紋センサによって物体のパターン情報を収集する前に、物体がタッチスクリーンに印加する圧力値がプリセット閾値より大きく、物体とタッチスクリーンとの接触位置が指紋応答領域に位置することが検出され場合のみ、電子デバイスの指紋認識機能をウェイクする。これにより、以下の２つの状況を避けることができる。最初に、物体がタッチスクリーンに印加する圧力値がプリセット閾値より大きい場合、指紋認識機能をウェイクするが、タッチ位置が指紋応答領域に位置していなく、指紋センサを作動して、物体のパターン情報を収集して、電子デバイスに対してロックを解除する必要がない。次に、タッチ位置が指紋応答領域に位置するとき、指紋認識機能をウェイクするが、物体がタッチスクリーンに印加する圧力値がプリセット閾値と同じか小さい場合には、ドアのセンサを作動して、物体のパターン情報を収集し、電子デバイスに対してロックを解除する必要がない。したがって、本開示の実施例で提供される技術案は、誤ったタッチにより指紋認識機能がウェイクされて消費電力が発生することを効果的に回避することができる。
【００２０】
なお、前記一般的な記載及び後述の詳細な記載は、単なる例示的で解釈的な記載であり、本発明を限定しない。
【図面の簡単な説明】
【００２１】
ここの図面は、明細書に組み入れて本明細書の一部分を構成し、本発明に該当する実施例を例示するとともに、明細書とともに本発明の原理を解釈する。
【図１】一例示的な実施形態による指紋ロック解除方法の応用場面図である。
【図２】一例示的な実施形態による指紋ロック解除方法のプロウチャートである。
【図３】別の例示的な実施形態による指紋ロック解除方法のプロウチャートである。
【図４】別の例示的な実施形態による指紋ロック解除方法のプロウチャートである。
【図５】別の例示的な実施形態による指紋ロック解除方法のプロウチャートである。
【図６Ａ】一例示的な実施形態による指紋ロック解除装置のブロック図である。
【図６Ｂ】別の例示的な実施形態による指紋ロック解除装置のブロック図である。
【図６Ｃ】別の例示的な実施形態による指紋ロック解除装置のブロック図である。
【図６Ｄ】他の日に例示的な実施形態による指紋ロック解除装置のブロック図である。
【図６Ｅ】他の日に例示的な実施形態による指紋ロック解除装置のブロック図である。
【図６Ｆ】他の日に例示的な実施形態による指紋ロック解除装置のブロック図である。
【図７】一例示的な実施形態による指紋ロック解除装置のブロック図である。
【発明を実施するための形態】
【００２２】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００２３】
関連技術において、スクリーン内の指紋認識技術は、指などの物体（指及び指のようなタッチスクリーンにより検出された物体を含む）がタッチスクリーンに接触したかをタッチスクリーンにより検出し、指などの物体とタッチスクリーンとの接触位置が指紋検出領域に位置することが検出されたとき、電子デバイスのオペレーティングシステムをウェイクさせ（例えば、スクリーンをオンさせる）、電子デバイスのオペレーティングシステムがウェイクされた後、圧力センサを作動させて圧力を検出する。電子デバイスは、圧力センサによって検出された圧力パラメータがプリセット条件に合致することを確認したとき、指紋センサを作動させて指紋を検出する。電子デバイスは、指紋センサにより検出された指紋情報に基づいて指紋のマッチングを行い、指紋マッチングの結果に基づいて、電子デバイスにたいしてロック解除するかを確定する。ここで、電子デバイスのオペレーティングシステムがウェイクされた後、圧力センサも動作され、もし電子デバイスが圧力センサによって検出された圧力パラメータがプリセット条件を満たしていないことを確認した場合、ユーザーが電子デバイスのロックを解除しようとする心がないと判断して指紋センサを作動させない。このようにすることで、システムのウェイクと圧力センサの動作による消費電力が浪費される。したがって、上記の指紋ロック解除方法は、消費電力の浪費現象を避けることができない。
【００２４】
そして、上記のロック解除の過程の中で、ロックを解除する時間が比較的に長い。
【００２５】
上記の技術的な問題を解決するために、本出願の実施例では、指紋ロック解除方法及び装置を提供して、消費電力の浪費現象を避け、指紋ロック解除の時間を短縮させる。
【００２６】
図１は、一例示的な実施形態による指紋ロック解除方法の応用場面図である。本公開の実施例で提供される指紋ロック解除方法は、電子デバイス１１に応用されることができ、前記電子デバイス１１は、スマートフォン、タブレット、ＰＤＡ（Ｐｅｒｓｏｎａｌ  Ｄｉｇｉｔａｌ  Ａｓｓｉｓｔａｎｔ、パーソナルデジタルアシスタント装置）、電子リーダー、マルチメディアプレーヤーなどの指紋認識機能を備える電子デバイスであることができる。前記電子デバイス１１は、タッチスクリーン１２と指紋センサ（図示せず）を備えることができる。電子デバイス１１は、物体がタッチスクリーン１２に印加した圧力値及び物体とタッチスクリーン１２との接触位置を検出することができる。指紋センサは、タッチスクリーン１２に備えられ、タッチスクリーン１２の対応位置に指紋応答領域１３を形成する。指紋センサは指紋センサ、光学指紋センサ、超音波指紋センサなどであることができる。指１４が指紋応答領域１３に接触したとき、指紋センサは指１４の指紋情報を収集し、電子デバイスのロックを解除するために使用することができる。
【００２７】
図２は、一例示的な実施形態による指紋ロック解除方法のプロウチャートである。図２に示されたように、前記指紋ロック解除方法は下記のステップＳ２０１〜Ｓ２０３を含むことができる。
【００２８】
ステップＳ２０１において、前記圧力値がプリセット閾値より大きく、上記接触位置が前記指紋応答領域に位置することが検出されたとき、前記電子デバイスの指紋認識機能をウェイクする。
【００２９】
一実施形態において、電子デバイスがスリープ状態にある場合、または、タッチスクリーンが画面オフ状態である場合、物体がタッチスクリーンに印加する圧力値がプリセット閾値より大きいかどうかをまずリアルタイムで検出し、物体がタッチスクリーンに印加する圧力値がプリセット閾値よりも大きい場合、物体とタッチスクリーンとの接触位置が指紋応答領域に位置するかを検出することができる。物体とタッチスクリーンとの接触位置が、指紋応答領域に位置する場合には、電子デバイスの指紋認識機能をウェイクする。
【００３０】
他の一実施例において、電子デバイスがスリープ状態にある場合、または、タッチスクリーンが画面オフ状態である場合、物体とタッチスクリーンとの接触位置が指紋応答領域に位置するかどうかをまずリアルタイムで検出し、物体とタッチスクリーンとの接触位置が指紋応答領域に位置する場合、物体がタッチスクリーンに印加する圧力値がプリセット閾値より大きいかを検出することができる。物体がタッチスクリーンに印加する圧力値がプリセット閾値よりも大きい場合には、電子デバイスの指紋認識機能をウェイクすることができる。
【００３１】
他の一実施例において、電子デバイスがスリープ状態にある場合、または、タッチスクリーンが画面オフ状態である場合、物体がタッチスクリーンに印加する圧力値がプリセット閾値よりも大きいかどうか、および物体とタッチスクリーンとの接触位置が指紋応答領域に位置するかどうかを同時に検出し、物体がタッチスクリーンに印加する圧力値がプリセット閾値よりも大きく、物体とタッチスクリーンとの接触位置が指紋応答領域に位置する場合には、電子デバイスの指紋認識機能をウェイクすることができる。
【００３２】
一実施形態において、電子デバイスの指紋認識機能をウェイクすることは次の二つの方法で実現することができる。（１）まず、電子デバイスのオペレーティングシステムをウェイキーし、その後、オペレーティングシステムによって指紋センサを作動させる。（２）圧力センサやタッチセンサによってウェイク命令（例えば、ハードウェア割り込み）を送信して指紋センサをウェイキーである。上記ウェイク方式は、応答時間が短いので、指紋のロックを解除時間の遅延を減少させることができる。
【００３３】
ステップＳ２０２において、前記指紋センサにより前記物体のパターン情報を収集する。
【００３４】
本実施例において、電子デバイスの指紋認識機能がウェイクされた後、指紋センサを作動させて物体のパターン情報を収集する。もし上記物体がユーザーの指の場合は、上記パターン情報は指紋情報である。
【００３５】
ステップＳ２０３において、前記パターン情報に基づいて事前に保存された参考指紋情報とマッチングし、マッチング成功した場合には、前記電子デバイスに対してロック解除操作を実行する。
【００３６】
本実施例において、電子デバイスは、収集されたパターン情報を事前に保存された参考指紋情報とマッチングさせ、マッチング成功したときに、電子デバイスに対してロック解除操作を実行する。
【００３７】
本実施例において、指紋センサを利用して、物体のパターン情報を収集する前に、物体がタッチスクリーンに印加する圧力値がプリセット閾値よりも大きく、物体とタッチスクリーンとの接触位置が指紋応答領域に位置する場合のみ、電子デバイスの指紋認識機能をウェイクする。これにより、次のような二つの状況を避けることができる。物体がタッチスクリーンに印加する圧力値がプリセット閾値より大きいとき指紋認識機能をウェイクするが、タッチ位置が指紋応答領域に位置していない場合には、指紋センサを作動させて物体のパターン情報を収集し、電子デバイスのロックを解除する必要がない。次に、タッチ位置が指紋応答領域に位置するとき指紋認識機能をウェイクするが、物体がタッチスクリーンに印加する圧力値がプリセット閾値と同じか小さい場合には、指紋センサを作動させて物体のパターン情報を収集し、電子デバイスのロックを解除する必要がない。したがって、本開示の実施例で提供される技術案は、誤ったタッチにより指紋認識機能がウェイクされて消費電力が発生することを効果的に回避することができる。
【００３８】
図３は、別の例示的な実施形態による指紋ロック解除方法のプロウチャートである。本実施例において、前記タッチスクリーンは、物体のタッチスクリーンでのタッチ位置を検出するタッチセンサを含む。前記電子デバイスは、物体がタッチスクリーンに印加する圧力値を検出する圧力センサを含む。図２に示された実施例の基礎上、上記のステップＳ２０１は、次のステップＳ３０１〜Ｓ３０４を含むことができる。
【００３９】
ステップＳ３０１において、前記圧力センサは、前記物体が前記タッチスクリーンに印加する少なくとも一つの圧力値を検出する。
【００４０】
一実施例において、圧力センサの圧力検出範囲は、指紋応答領域をカバーして、タッチスクリーン全体をカバーしない。上記実施例において、圧力センサは、指紋応答領域の付近に位置することができますが、これに限定されない。他の一実施例において、圧力センサの圧力検出範囲は、タッチスクリーン全体をカバーすることができる。
一実施例において、圧力センサは、独立的なセンサであることができ、タッチスクリーンモジュールのガラスカバーの上面（電子デバイスの正面）に位置することができ、またはタッチスクリーンモジュールの下面に位置することができる。一実施例において、圧力センサは、タッチスクリーンモジュールに集成することができる。
【００４１】
一実施形態において、タッチスクリーンは、単一点タッチ機能を備えるタッチスクリーンであることができ、物体がタッチスクリーンに印加する一つの圧力値を検出することができる。他の一実施例において、タッチスクリーンは、複数点タッチ機能を備えるタッチスクリーンであることができ、物体が上記タッチスクリーンに印加する二つまたは複数の圧力値を検出することができる。
【００４２】
一実施形態において、ステップＳ３０１の前に、次のステップをさらに含むことができる。上記タッチスクリーンが画面オフ状態であるか又は前記電子デバイスがスリープ状態にある場合には、上記圧力センサを動作させることができる。つまり、電子デバイスが画面オフ状態であるか又は電子デバイスがスリープ状態にある場合には、圧力センサを作動させ、物体がタッチスクリーンに印加する圧力値をリアルタイムで検出し、具体的には、圧力センサは、物体がタッチスクリーンに印加圧力値をプリセットされた作業頻度で継続的に検出することができる。消費電力を低下させるために、圧力センサは、比較的に低い作業頻度で作業することができる。
【００４３】
ステップＳ３０２において、前記少なくとも一つの圧力値のうち最大圧力値が上記プリセット閾値より大きいことが上記圧力センサにより検出されたとき、第１の割り込み信号を上記タッチセンサに送信する。
【００４４】
本実施例において、圧力センサは、物体がタッチスクリーンに印加する少なくとも一つの圧力値のうち最大圧力値がプリセット閾値より大きいことを検出した場合には、第１の割り込み信号をタッチセンサに送信する。第１の割り込み信号は、タッチセンサの作業をトリガーすることができる。圧力センサがハードウェア割り込みによってタッチセンサを作動させる時間は、オペレーティングシステムがタッチセンサの作業を動作させる時間より小さい。このようにすることで、ロックを解除するの遅延を減少させることができる。
【００４５】
ステップＳ３０３において、前記タッチセンサは、前記第１の割り込み信号を受信した後、前記物体と前記タッチスクリーンとの接触位置を検出する。
【００４６】
ステップＳ３０４において、前記接触位置が前記指紋応答領域に位置することが上記タッチセンサにより検出されたとき、前記電子デバイスの指紋認識機能をウェイクする。
【００４７】
本実施例において、タッチセンサは、タッチスクリーン全体をカバーして、物体とタッチスクリーンとの接触位置を検出することができる。タッチセンサは、第１の割り込み信号を受信した後、作業を作動することができ、また、物体とタッチスクリーンとの接触位置を検出し、上記の接触位置が、指紋応答領域に位置することを検出したとき、電子デバイスの指紋認識機能をウェイクする。
【００４８】
本実施例において、タッチスクリーンが画面オフ状態であるか又は電子デバイスがスリープ状態にある場合には、圧力センサを作動させて物体がタッチスクリーンに印加する少なくとも一つの圧力値を検出し、上記少なくとも一つの圧力値の最大圧力値がプリセット閾値よりも大きい場合、第１の割り込み信号をタッチセンサに送信して、タッチセンサの作業を動作させて、物体とタッチスクリーンとの接触位置を検出する。接触位置が指紋応答領域に位置する場合には、タッチセンサは電子デバイスの指紋認識機能をウェイクする。圧力センサがハードウェア割り込みによってタッチセンサを作動する時間はオペレーティングシステムによってタッチセンサの作業を動作する時間より小さいので、指紋ロック解除の遅延を減少させることができる。
【００４９】
図４は、別の例示的な実施形態による指紋ロック解除方法のプロウチャートである。本実施例において、前記タッチスクリーンは、物体のタッチスクリーンでのタッチ位置を検出するタッチセンサを含むことができる。前記電子デバイスは、物体がタッチスクリーンに印加する圧力値を検出する圧力センサをさらに含むことができる。図２に示された実施例の基礎上、上記のステップＳ２０１は次のステップＳ４０１〜Ｓ４０４を含むことができる。
【００５０】
ステップＳ４０１において、前記タッチセンサが前記物体と前記タッチスクリーンとの接触位置を検出する。
【００５１】
一実施例においては、ステップＳ４０１の前に、以下のステップを含むことができる。上記タッチスクリーンが画面オフ状態であるか又は前記電子デバイスがスリープ状態であることを検出したとき、上記タッチセンサを作動させる。つまり、電子デバイスが画面オフ状態であるか又は電子デバイスがスリープ状態にある場合には、タッチセンサの作業を動作させて物体とタッチスクリーンとの接触位置をリアルタイムに検出することができる。具体的には、タッチセンサは、物体とタッチスクリーンとの接触位置をプリセットの作業頻度で継続的に検出することができる。消費電力を低下させるために、タッチセンサは、比較的に低い作業頻度で作業することができる。
【００５２】
ステップＳ４０２において、前記接触位置が前記指紋応答領域に位置することが上記タッチセンサにより検出された場合には、上記圧力センサは、第２の割り込み信号を送信する。
【００５３】
本実施例において、前記の接触位置が指紋応答領域に位置することがタッチセンサにより検出された場合、圧力センサは第２の割り込み信号を送信する。第２の割り込み信号は圧力センサの作業をトリガーすることができる。タッチセンサがハードウェア割り込みによって圧力センサを作動させる時間は、オペレーティングシステムによって圧力センサの作業を動作させる時間より小さい。このようにすることで、指紋のロックの解除遅延を減少させることができる。
【００５４】
ステップＳ４０３において、前記圧力センサは、前記第２の割り込み信号を受信した後、前記物体が前記タッチスクリーンに印加する少なくとも一つの圧力値を検出する。
【００５５】
一実施例において、圧力センサの圧力検出範囲は、指紋応答領域をカバーし、タッチスクリーン全体をカバーしない。上記実施例において、圧力センサは、指紋応答領域の付近に位置することができますが、これに限定されない。他の一実施例において、圧力センサの圧力検出範囲は、タッチスクリーン全体をカバーすることができる。
一実施例において、圧力センサは、独立的なセンサであることができ、タッチスクリーンモジュールのガラスカバーの上面（電子デバイスの正面）に位置することができ、タッチスクリーンモジュールの下面に位置することもできる。一実施例において、圧力センサは、タッチスクリーンモジュールに集成することができる。
【００５６】
一実施形態において、タッチスクリーンは、単一点タッチ機能を備えるタッチスクリーンであることができ、物体がタッチスクリーンに印加する一つの圧力値を検出することができる。他の一実施例において、タッチスクリーンは、複数点タッチ機能を備えるタッチスクリーンであることができ、物体が上記タッチスクリーンに印加する二つまたは複数の圧力値を検出することができる。
【００５７】
ステップＳ４０４において、前記少なくとも一つの圧力値のうち最大圧力値が上記プリセット閾値より大きいことが上記圧力センサによって検出された場合には、前記電子デバイスの指紋認識機能をウェイクする。
【００５８】
本実施例において、圧力センサは、指紋応答領域のみをカバーすることができ、物体がタッチスクリーンの指紋応答領域に印加する圧力値を検出することができる。これにより、指紋のロックを解除のコストを減少させることができる。
【００５９】
本実施例において、圧力センサは、第２の割り込み信号を受信した後、作業を作動して、物体がタッチスクリーンに印加する圧力を検出することができ、上記圧力が上記プリセット閾値よりも大きいことを検出したとき、上記電子デバイスの指紋認識機能をウェイクする。
【００６０】
本実施例において、タッチスクリーンが画面オフ状態であるか又は電子デバイスがスリープ状態にある場合には、タッチセンサを作動させて、物体とタッチスクリーンとの接触位置を検出し、接触位置が指紋応答領域に位置することが検出されたとき圧力センサに第２の割り込み信号を送信して圧力センサの作業を動作させて、物体がタッチスクリーンに印加する少なくとも一つの圧力値を検出する。少なくとも一つの圧力値のうち最大圧力値がプリセット閾値より大きいことが圧力センサによって検出された場合には、電子デバイスの指紋認識機能をウェイクする。タッチセンサがハードウェア割り込みによって圧力センサを作動させる時間は、オペレーティングシステムによって圧力センサの作業を動作する時間より小さいので、指紋ロック解除の遅延を減少させることができる。
【００６１】
図５は、別の例示的な実施形態による指紋ロック解除方法のプロウチャートである。本実施例において、前記電子デバイスは、複合センサをさらに含むことができる。上記複合センサは、上記圧力値及び前記接触位置を同時に検出することができる。図２に示された実施例の基礎上、上記のステップＳ２０１は次のステップＳ５０１〜Ｓ５０２を含むことができる。
【００６２】
ステップＳ５０１において、前記複合センサは、前記物体が前記タッチスクリーンに印加する少なくとも一つの圧力値及び前記物体と上記タッチスクリーンとの接触位置を検出する。
【００６３】
ステップＳ５０２において、前記少なくとも一つの圧力値のうち最大圧力値が上記プリセット閾値より大きく、上記接触位置が前記指紋応答領域に位置することが上記の複合センサにより検出されたとき、前記電子デバイスの指紋認識機能をウェイクする。
【００６４】
一実施形態において、複合センサは、圧力センサとタッチセンサとを集成した部品であることができる。他の一実施例において、複合センサは、抵抗性タッチスクリーンであることができ、上記圧力値及び前記接触位置を同時に検出する機能を実現することができる。
【００６５】
一実施形態において、タッチスクリーンが画面オフ状態であるか又は電子デバイスがスリープ状態にある場合には、複合センサを作動させて物体がタッチスクリーンに印加する少なくとも一つの圧力値及び物体とタッチスクリーンとの接触位置をリアルタイムで検出することができる。具体的には、複合センサは、物体がタッチスクリーンに印加する少なくとも一つの圧力値及び物体とタッチスクリーンとの接触位置をプリセットの作業頻度で継続的に検出することができる。消費電力を低下させるために、複合センサは、比較的に低い作業頻度で作業することができる。
【００６６】
本実施例において、物体がタッチスクリーンに印加する少なくとも一つの圧力値のうち最大圧力値がプリセット閾値より大きく、物体とタッチスクリーンとの接触位置が指紋応答領域に位置することが複合センサにより検出された場合にのみ、電子デバイスの指紋認識機能をウェイクする。物体のタッチスクリーンでのタッチ位置及び物体がタッチスクリーンに印加する圧力値を検出することが同時に進行するので、指紋ロック解除の遅延を減少させることができる。
【００６７】
図６Ａは、一例示的な実施形態による指紋ロック解除装置のブロック図である。上記装置は、電子デバイスに応用されることができる。前記電子デバイスは、タッチスクリーンと指紋センサを備えることができる。前記電子デバイスは、物体が上記タッチスクリーンに印加する圧力値及び前記物体と前記タッチスクリーンとの接触位置を検出することができる。上記指紋センサは、上記タッチスクリーンに備えられ、上記タッチスクリーンの対応位置に指紋応答領域を形成することができる。図６Ａに示されたように、前記装置は、ウェイクモジュール６１、収集モジュール６２及びマッチングモジュール６３を含むことができる。
【００６８】
ウェイクモジュール６１は、上記圧力値がプリセット閾値より大きく、上記接触位置が前記指紋応答領域に位置することが検出されたとき、前記電子デバイスの指紋認識機能をウェイクするように配置される。
【００６９】
収集モジュール６２は、上記指紋センサにより前記物体のパターン情報を収集するように配置される。
【００７０】
マッチングモジュール６３は、上記パターン情報に基づいて事前に保存された参考指紋情報とマッチングして、マッチング成功した場合には、前記電子デバイスに対してロック解除操作を実行するように配置される。
【００７１】
図６Ｂは、一例示的な実施形態による指紋ロック解除装置のブロック図である。上記タッチスクリーンは、タッチセンサを含み、前記電子デバイスは、圧力センサを含むことができる。図６Ｂに示されるように、前記ウェイクモジュール６１は、第１の検出サブモジュール６１１、第１の送信サブモジュール６１２、第２の検出サブモジュール６１３と、第１のウェイクサブモジュール６１４を含むことができる。
【００７２】
第１の検出サブモジュール６１１は、上記圧力センサにより前記物体が前記タッチスクリーンに印加する少なくとも一つの圧力値を検出するように配置される。
【００７３】
第１の送信サブモジュール６１２は、上記少なくとも一つの圧力値のうち最大圧力値が上記プリセット閾値より大きいことが上記圧力センサにより検出されたとき、第１の割り込み信号を上記タッチセンサに送信するように配置される。
【００７４】
第２の検出サブモジュール６１３は、上記タッチセンサは、前記第１の割り込み信号を受信した後、前記物体と前記タッチスクリーンとの接触位置を検出するように配置される。
【００７５】
第１のウェイクサブモジュール６１４は、上記接触位置が前記指紋応答領域に位置することが上記タッチセンサにより検出されたとき、前記電子デバイスの指紋認識機能をウェイクするように配置される。
【００７６】
図６Ｃは、一例示的な実施形態による指紋ロック解除装置のブロック図である。図６Ｃに示されたように、前記ウェイクモジュール６１は、第１の作動サブモジュール６１５をさらに含むことができる。
【００７７】
第１の作動サブモジュール６１５は、上記タッチスクリーン画面オフ状態であるか又は前記電子デバイスがスリープ状態であることが検出されたとき、上記圧力センサを作動させるように配置される。
【００７８】
図６Ｄは一例示的な実施形態による指紋ロック解除装置のブロック図である。上記タッチスクリーンはタッチセンサを含み、前記電子デバイスは圧力センサを含むことができる。図６Ｄに示されたように、前記ウェイクモジュール６１は、第３の検出サブモジュール６１６、第２の送信サブモジュール６１７、第４の検出サブモジュール６１８及び第２のウェイクサブモジュール６１９を含むことができる。
【００７９】
第３の検出サブモジュール６１６は、上記タッチセンサによって前記物体と前記タッチスクリーンとの接触位置を検出するように配置される。
【００８０】
第２の送信サブモジュール６１７は、上記接触位置が前記指紋応答領域に位置することが上記タッチセンサにより検出されたとき、上記圧力センサに第２の割り込み信号を送信するように配置される。
【００８１】
第４の検出サブモジュール６１８は、上記圧力センサは、前記第２の停止信号を受信した後、前記物体が前記タッチスクリーンに印加する少なくとも一つの圧力値を検出するように配置される。
【００８２】
第２のウェイクサブモジュール６１９は、上記少なくとも一つの圧力値のうち最大圧力値が上記プリセット閾値より大きいことが上記圧力センサにより検出されたとき、前記電子デバイスの指紋認識機能をウェイクするように配置される。
【００８３】
図６Ｅは一例示的な実施形態による指紋ロック解除装置のブロック図である。図６Ｅに示すように、上記ウェイクモジュール６１は、第２の作動サブモジュール６１０をさらに含むことができる。
【００８４】
第２の作動サブモジュール６１０は、上記タッチスクリーン画面オフ状態であるか又は前記電子デバイスがスリープ状態であることが検出されたとき、上記タッチセンサを作動させるように配置される。
【００８５】
図６Ｆは一例示的な実施形態による指紋ロック解除装置のブロック図である。前記電子デバイスは複合センサをさらに含み、前記複合センサは上記圧力値及び前記接触位置を同時に検出することができる。図６Ｆに図示されたように、前記ウェイクモジュール６１は、第５の検出サブモジュール６４１、第３のウェイクサブモジュール６４２を含むことができる。
【００８６】
第５の検出サブモジュール６４１は、上記複合センサにより、前記物体が前記タッチスクリーンに印加する少なくとも一つの圧力値及び前記物体と上記タッチスクリーンとの接触位置を検出するように配置される。
【００８７】
第３のウェイクサブモジュール６４２は、上記少なくとも一つの圧力値のうち最大圧力値が上記プリセット閾値より大きく、上記接触位置が前記指紋応答領域に位置することが上記複合センサにより検出されたとき、前記電子デバイスの指紋認識機能をウェイクするように配置される。
【００８８】
上記実施例の装置について、プロセッサが操作を実行する具体的な方法は、すでに上記の方法の実施例では詳細に説明したので、ここで詳細な説明は省略する。
【００８９】
図７は、一例示的な実施例に係るＶＲオブジェクトの合成に用いられる装置７００を示すブロック図である。例えば、装置７００は、携帯電話、コンピュータ、デジタルブロードキャスト端末、メッセージ送受信機、ゲームコンソール、タブレットデバイス、医療機器、フィットネス機器、ＰＤＡ等のものであってもよい。
【００９０】
図７を参照すると、装置７００は、処理ユニット７０２、メモリ７０４、電源ユニット７０６、マルチメディアユニット７０７、オーディオユニット７１０、入力／出力（Ｉ／Ｏ）インタフェース７１２、センサユニット７１４、及び通信ユニット７１６からなる群から選ばれる少なくとも１つを備えてもよい。
【００９１】
処理ユニット７０２は、一般的には、装置７００の全体の操作、例えば、表示、電話呼び出し、データ通信、カメラ操作及び記録操作に関連する操作を制御する。処理ユニット７０２は、上述した方法におけるステップの一部又は全部を実現できるように、命令を実行する少なくとも１つのプロセッサー７２０を備えてもよい。また、処理ユニット７０２は、他のユニットとのインタラクションを便利にさせるように、少なくとも１つのモジュールを備えてもよい。例えば、処理ユニット７０２は、マルチメディアユニット７０７とのインタラクションを便利にさせるように、マルチメディアモジュールを備えてもよい。
【００９２】
メモリ７０４は、装置７００での操作をサポートするように、各種のデータを記憶するように配置される。これらのデータは、例えば、装置７００で何れのアプリケーション又は方法を操作するための命令、連絡先データ、電話帳データ、メッセージ、画像、ビデオ等を含む。メモリ７０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【００９３】
電源ユニット７０６は、装置７００の各種ユニットに電力を供給するためのものであり、電源管理システム、１つ又は複数の電源、及び装置７００のために電力を生成、管理及び分配することに関連する他のユニットを備えてもよい。
【００９４】
マルチメディアユニット７０７は、装置７００とユーザとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを知覚するように、少なくとも１つのタッチセンサを有する。タッチセンサは、タッチやスライド動作の境界を知覚できるだけではなく、タッチやスライド操作と関連する持続時間や圧力も知覚できる。一実施例では、マルチメディアユニット７０７は、フロントカメラ及び／又はバックカメラを有してもよい。装置７００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００９５】
オーディオユニット７１０は、オーディオ信号を出力及び／又は入力するように配置される。例えば、オーディオユニット７１０は、マイクロフォン（ＭｉＣ）を有してもよい。装置７００が、例えば、呼び出しモード、記録モード、又は音声認識モードのような操作モードにあるとき、マイクロフォンは、外部のオーディオ信号を受信するように配置される。受信したオーディオ信号は、メモリ７０４にさらに記憶されてもよいし、通信ユニット７１６を介して送信されてもよい。一実施例では、オーディオユニット７１０は、オーディオ信号を出力するためのスピーカをさらに備えてもよい。
【００９６】
Ｉ／Ｏインタフェース７１２は、処理ユニット７０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【００９７】
センサユニット７１４は、装置７００のために各方面の状態を評価する少なくとも１つのセンサを備えてもよい。例えば、センサユニット７１４は、装置７００のオン／オフ状態や、ユニットの相対的な位置を検出することができる。例えば、前記ユニットは、装置７００のディスプレイ及びキーパッドである。センサユニット７１４は、装置７００又は装置７００の１つのユニットの位置の変化、ユーザによる装置７００への接触の有無、装置７００の方向又は加速／減速、装置７００の温度変化などを検出することができる。センサユニット７１４は、何れの物理的な接触もない場合に付近の物体を検出するように配置される近接センサを有してもよい。センサユニット７１４は、イメージングアプリケーションに用いるための光センサ、例えば、ＣＭＯＳ又はＣＣＤ画像センサを有してもよい。一実施例では、当該センサユニット７１４は、加速度センサ、ジャイロスコープセンサ、磁気センサ、圧力センサ又は温度センサをさらに備えてもよい。
【００９８】
通信ユニット７１６は、装置７００と他の設備の間との無線又は有線通信を便利にさせるように配置される。装置７００は、通信標準に基づく無線ネットワーク、例えば、ＷｉＦｉ、２Ｇ又は３Ｇ、又はそれらの組み合わせにアクセスできる。１つの例示的な実施例では、通信ユニット７１６は、ブロードキャストチャンネルを介して外部のブロードキャスト管理システムからのブロードキャスト信号又はブロードキャストに関する情報を受信する。１つの例示的な実施例では、前記通信ユニット７１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【００９９】
例示的な実施例では、装置７００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【０１００】
例示的な実施例では、命令を有する非一時的コンピュータ読み取り可能な記録媒体、例えば、命令を有するメモリ７０４をさらに提供する。前記命令は、装置７００のプロセッサー７２０により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【０１０１】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１０２】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【０１０３】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１０４】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2020512604.tif 000003
【図２】
2020512604.tif 000004
【図３】
2020512604.tif 000005
【図４】
2020512604.tif 000006
【図５】
2020512604.tif 000007
【図６Ａ】
2020512604.tif 000008
【図６Ｂ】
2020512604.tif 000009
【図６Ｃ】
2020512604.tif 000010
【図６Ｄ】
2020512604.tif 000011
【図６Ｅ】
2020512604.tif 000012
【図６Ｆ】
2020512604.tif 000013
【図７】
2020512604.tif 000014
【手続補正書】
【提出日】平成31年2月15日(2019.2.15)
【手続補正２】
【補正対象書類名】明細書
【補正対象項目名】０００２
【補正方法】変更
【補正の内容】
【０００２】
本出願は、指紋認識技術分野に関するもので、特に指紋ロック解除方法、装置、プログラム及び記録媒体に関するものである。
【手続補正３】
【補正対象書類名】明細書
【補正対象項目名】０００５
【補正方法】変更
【補正の内容】
【０００５】
関連技術に存在する問題を解決するために、本開示の実施例では誤ったタッチによりシステムをウェイクさせて消費電力が発生することを避けることができる指紋ロック解除方法、装置、プログラム及び記録媒体を提供する。
【手続補正４】
【補正対象書類名】特許請求の範囲
【補正対象項目名】全文
【補正方法】変更
【補正の内容】
【特許請求の範囲】
【請求項１】
電子デバイスに応用される指紋ロック解除方法であって、前記電子デバイスにはタッチスクリーンと指紋センサが備えられ、前記電子デバイスは物体が前記タッチスクリーンに印加する圧力値及び前記物体と前記タッチスクリーンとの接触位置を検出可能であり、前記指紋センサは、前記タッチスクリーンに備えられ、前記タッチスクリーンの対応位置に指紋応答領域を形成し、
前記方法は、
前記圧力値がプリセット閾値より大きく、前記接触位置が前記指紋応答領域に位置することが検出されたとき、前記電子デバイスの指紋認識機能をウェイクするステップと、
前記指紋センサにより前記物体のパターン情報を収集するステップと、
前記パターン情報に基づいて事前に保存された参考指紋情報とマッチングし、マッチング成功した場合には、前記電子デバイスに対してロック解除操作を実行するステップと、を含むことを特徴とする指紋ロック解除方法。
【請求項２】
前記タッチスクリーンはタッチセンサを含み、前記電子デバイスは圧力センサをさらに含み、
前記圧力値がプリセット閾値より大きく、前記接触位置が前記指紋応答領域に位置することが検出されたとき、前記電子デバイスの指紋認識機能をウェイクするステップは、
前記圧力センサは、前記物体が前記タッチスクリーンに印加する少なくとも一つの圧力値を検出するステップと、
前記少なくとも一つの圧力値のうち最大圧力値が前記プリセット閾値より大きいことが前記圧力センサにより検出されたとき、第１の割り込み信号を前記タッチセンサに送信するステップと、
前記タッチセンサは、前記第１の割り込み信号を受信した後、前記物体と前記タッチスクリーンとの接触位置を検出するステップと、
前記接触位置が前記指紋応答領域に位置することが前記タッチセンサにより検出されたとき、前記電子デバイスの指紋認識機能をウェイクするステップと、を含むことを特徴とする請求項１に記載の指紋ロック解除方法。
【請求項３】
前記圧力センサは、前記物体が前記タッチスクリーンに印加する少なくとも一つの圧力値を検出するステップの前に、
前記タッチスクリーンが画面オフ状態であるか又は前記電子デバイスがスリープ状態であることが検出されたとき、前記圧力センサを作動させるステップをさらに含むことを特徴とする請求項２に記載の指紋ロック解除方法。
【請求項４】
前記タッチスクリーンはタッチセンサを含み、前記電子デバイスは圧力センサをさらに含み、
前記圧力値がプリセット閾値より大きく、前記接触位置が前記指紋応答領域に位置することが検出されたとき、前記電子デバイスの指紋認識機能をウェイクするステップは、
前記タッチセンサが前記物体と前記タッチスクリーンとの接触位置を検出するステップと、
前記接触位置が前記指紋応答領域に位置することが前記タッチセンサにより検出された場合には、前記圧力センサは、第２の割り込み信号を送信するステップと、
前記圧力センサは、前記第２の割り込み信号を受信した後、前記物体が前記タッチスクリーンに印加する少なくとも一つの圧力値を検出するステップと、
前記少なくとも一つの圧力値のうち最大圧力値が前記プリセット閾値より大きいことが前記圧力センサによって検出された場合には、前記電子デバイスの指紋認識機能をウェイクするステップと、を含むことを特徴とする請求項１に記載の指紋ロック解除方法。
【請求項５】
前記タッチセンサが前記物体と前記タッチスクリーンとの接触位置を検出するステップの前に、
前記タッチスクリーンが画面オフ状態であるか又は前記電子デバイスがスリープ状態であることが検出されたとき、前記タッチセンサを作動させるステップをさらに含むことを特徴とする請求項４に記載の指紋ロック解除方法。
【請求項６】
前記電子デバイスは複合センサをさらに含み、前記複合センサは前記圧力値及び前記接触位置を同時に検出可能であり、
前記圧力値がプリセット閾値より大きく、前記接触位置が前記指紋応答領域に位置することが検出されたとき、前記電子デバイスの指紋認識機能をウェイクするステップは、
前記複合センサは、前記物体が前記タッチスクリーンに印加する少なくとも一つの圧力値及び前記物体と前記タッチスクリーンとの接触位置を検出するステップと、
前記少なくとも一つの圧力値のうち最大圧力値が前記プリセット閾値より大きく、前記接触位置が前記指紋応答領域に位置することが前記複合センサにより検出されたとき、前記電子デバイスの指紋認識機能をウェイクするステップと、を含むことを特徴とする請求項１に記載の指紋ロック解除方法。
【請求項７】
電子デバイスに応用される指紋ロック解除装置において、前記電子デバイスにはタッチスクリーンと指紋センサが備えられ、前記電子デバイスは、物体が前記タッチスクリーンに印加する圧力値及び前記物体と前記タッチスクリーンとの接触位置を検出可能であり、前記指紋センサは、前記タッチスクリーンに備えられ、前記タッチスクリーンの対応位置に指紋応答領域を形成し、
前記装置は、
前記圧力値がプリセット閾値より大きく、前記接触位置が前記指紋応答領域に位置することが検出されたとき、前記電子デバイスの指紋認識機能をウェイクするように配置されるウェイクモジュールと、
前記指紋センサにより前記物体のパターン情報を収集するように配置される収集モジュールと、
前記パターン情報に基づいて事前に保存された参考指紋情報とマッチングし、マッチング成功した場合には、前記電子デバイスに対してロック解除操作を実行するように配置されるマッチングモジュールと、を含むことを特徴とする指紋ロック解除装置。
【請求項８】
前記タッチスクリーンはタッチセンサを含み、前記電子デバイスは圧力センサをさらに含み、
前記ウェイクモジュールは、
前記圧力センサにより前記物体が前記タッチスクリーンに印加する少なくとも一つの圧力値を検出するように配置される第１の検出サブモジュールと、
前記少なくとも一つの圧力値のうち最大圧力値が前記プリセット閾値より大きいことが前記圧力センサにより検出されたとき、第１の割り込み信号を前記タッチセンサに送信するように配置される第１の送信サブモジュールと、
前記タッチセンサは、前記第１の割り込み信号を受信した後、前記物体と前記タッチスクリーンとの接触位置を検出するように配置される第２の検出サブモジュールと、
前記接触位置が前記指紋応答領域に位置することが前記タッチセンサにより検出されたとき、前記電子デバイスの指紋認識機能をウェイクするように配置される第１のウェイクサブモジュールと、を含むことを特徴とする請求項７に記載の指紋ロック解除装置。
【請求項９】
前記ウェイクモジュールは、
前記タッチスクリーンが画面オフ状態であるか又は前記電子デバイスがスリープ状態であることが検出されたとき、前記圧力センサを作動させるように配置される第１の作動サブモジュールをさらに含むことを特徴とする請求項８に記載の指紋ロック解除装置。
【請求項１０】
前記タッチスクリーンはタッチセンサを含み、前記電子デバイスは圧力センサをさらに含み、
前記ウェイクモジュールは、
前記タッチセンサによって前記物体と前記タッチスクリーンとの接触位置を検出するように配置される第３の検出サブモジュールと、
前記接触位置が前記指紋応答領域に位置することが前記タッチセンサにより検出されたとき、前記圧力センサに第２の割り込み信号を送信するように配置される第２の送信サブモジュールと、
前記圧力センサは、前記第２の停止信号を受信した後、前記物体が前記タッチスクリーンに印加する少なくとも一つの圧力値を検出するように配置される第４の検出サブモジュールと、
前記少なくとも一つの圧力値のうち最大圧力値が前記プリセット閾値より大きいことが前記圧力センサにより検出されたとき、前記電子デバイスの指紋認識機能をウェイクするように配置される第２のウェイクサブモジュールと、を含むことを特徴とする請求項７に記載の指紋ロック解除装置。
【請求項１１】
前記ウェイクモジュールは、
前記タッチスクリーンが画面オフ状態であるか又は前記電子デバイスがスリープ状態であることが検出されたとき、前記タッチセンサを作動させるように配置される第２の作動サブモジュールをさらに含むことを特徴とする請求項１０に記載の指紋ロック解除装置。
【請求項１２】
前記電子デバイスは複合センサをさらに含み、前記複合センサは、前記圧力値及び前記接触位置を同時に検出可能であり、
前記ウェイクモジュールは、
前記複合センサにより、前記物体が前記タッチスクリーンに印加する少なくとも一つの圧力値及び前記物体と前記タッチスクリーンとの接触位置を検出するように配置される第５の検出サブモジュールと、
前記少なくとも一つの圧力値のうち最大圧力値が前記プリセット閾値よりも大きく、前記接触位置が前記指紋応答領域に位置することが前記複合センサにより検出されたとき、前記電子デバイスの指紋認識機能をウェイクするように配置される第３のウェイクサブモジュールと、を含むことを特徴とする請求項７に記載の指紋ロック解除装置。
【請求項１３】
指紋ロック解除装置において、
プロセッサと、
前記プロセッサが実行可能な命令を記憶するメモリと、を含み、
前記プロセッサは、請求項１から６のいずれかに記載の指紋ロック解除方法を実行するように配置されることを特徴とする指紋ロック解除装置。
【請求項１４】
コンピュータ読み取り可能な記録媒体において、
前記記録媒体にコンピュータプログラムが保存され、前記コンピュータプログラムは、前記プロセッサによって実行されるとき、請求項１から６のいずれかに記載の指紋ロック解除方法が実現されることを特徴とするコンピュータ読み取り可能な記録媒体。
【請求項１５】
プロセッサに実行されることにより、請求項１から請求項６の何れか１項に記載の指紋ロック解除方法を実現することを特徴とするプログラム。
【国際調査報告】
2020512604.tif 000015
2020512604.tif 000016
2020512604.tif 000017
2020512604.tif 000018